(57)【要約】      （修正有）【課題】  調理済み電子レンジ対応食品または、熱湯を注いで調理するカップ及びトレー式食品の移動・保存を便利にすることができるプチシール蓋を提供する。【解決手段】  プチシール蓋は粘着性があり、再密閉可能である。電子レンジにて加熱時は、蒸気排出口として開ける。移動・保存時には、再密閉する。また、プチシール蓋をつける。プチシール蓋を開封し、給湯時には、給湯口として開ける。移動・保存時には、再密閉する。【選択図】  図２−１
2005015056.tif 000002
【特許請求の範囲】
【請求項１】
再密封可能なプチシール蓋を付けることによって、一度調理のため開封状態となった包装体が、密封または実質的に密封されることを特徴とする。それにより、移動・保存等が便利かつ長時間にわたり可能となる。
【発明の詳細な説明】
【技術分野】
【０００１】  本発明は、調理済み電子レンジ対応食品包装体、熱湯を注いで調理するカップ及びトレー式スープ・焼きそば・ラーメン等の包装体に関するものである。更に詳しくは、電子レンジによる加熱調理時には、蒸気排出口。加熱調理後には、プチシール蓋による再密閉にて、移動・保存を便利にするものに関するものである。熱湯を注いで調理するカップ及びトレー式スープ・焼きそば・ラーメン等の給湯時には、熱湯注ぎ口。給湯後には、プチシール蓋による再密閉にて、移動・保存を便利にするものに関するものである。
【背景技術】
【０００２】  電子レンジ対応食品包装体においては、加熱前に開封するもの、加熱中に自然に開封するもの等は存在するが、その後密閉する様式にはなっておらず加熱後は一部開封状態となっており移動・保存が不便である。
熱湯を注いで調理するカップ及びトレー式スープ・焼きそば・ラーメン等も、給湯後、完全に再密閉する様式にはなっておらず給湯後の移動・保存が不便である。【０００３】  電子レンジ対応食品において、加熱後その場にて食す状況ではなく、多少移動する場合において、蒸気もれ・液漏れ等による火傷・汚れなどの可能性が発生する。また、多少保存する場合にて、密閉状態ではないので衛生的にも問題等の可能性がある。【０００４】  熱湯を注いで調理するカップ及びトレー式スープ・焼きそば・ラーメン等において、給湯調理後、多少移動する場合、密封状態ではないので蒸気もれ・液漏れ等による火傷・汚れなどの可能性が発生する。
【発明の開示】
【発明が解決しようとする課題】
【０００５】  解決しようとする問題点は、電子レンジ対応食品においては加熱後、熱湯を注いで調理するカップ及びトレー式スープ・焼きそば・ラーメン等においては給湯後、密封状態にし、移動等による蒸気漏れ・液漏れを防ぎ、火傷・汚れを防止する。また、密封状態にすることで衛生的な保存状態が長続きする。
【課題を解決するための手段】
【０００６】  本発明は、再密閉を可能にしたシール式蓋を食品包装体に組み込み、調理加熱・給湯後の食品包装体の再密閉を可能することを最も主要な特徴とする。
【発明の効果】
【０００７】  電子レンジ対応食品包装体においては、加熱後密封することにより、持ち運びに優れ、また、衛生的にも向上し、保温効果も向上する。よって、加熱後の移動距離の飛躍的な延長、食すまでの時間の飛躍的な延長が可能となる。
熱湯を注いで調理するカップ及びトレー式スープ・焼きそば・ラーメン等においては、給湯後の液漏れの心配が無くなり、持ち運びが非常に便利となる。
【発明を実施するための最良の形態】  本発明を利用する例として図面に示した実施の形態に基づき更に詳細に説明する。
【実施例１】
【０００８】  図１−１は常温保存のご飯である。通常であれば、図１−２・Ａまでフィルムを開封し電子レンジにて加熱する。加熱後、残りフィルムを開封し、その場にて食す事となる。開封加熱後は、そのままにて持ち運ぶには、水滴がこぼれ汚れる。また、衛生的にも不適当と思われる。
図２−１も常温保存のご飯である。加熱前に、図２−２・Ｂのプチシール蓋を外し、蒸気排出口とする。加熱後、プチシール蓋を元に戻し（図２−３）、再密封する。この状態にて、水蒸気・水滴漏れをなくし、多少の保温効果を実現し、また、衛生的な状態をも実現する。このように、持ち運びに優れ、電子レンジ対応食品の用途が飛躍的に広がる。
【実施例２】
【０００９】  図３−１はインスタントのカップラーメンである。通常であれば、図３−２・Ｃまで上蓋を開封し熱湯を注ぎ、再び上蓋を閉める（図３−３）。この状態にて持ち運びする時に、カップラーメンを傾けすぎると、スープ等が漏れ出し、周辺を汚すこととなる。熱湯スープによる火傷の可能性も存在する。
図４−１もインスタントのカップラーメンである。図４−２・Ｄのプチシール蓋をめくり、そこから熱湯を注ぎ、プチシール蓋を元に戻し（図４−３）、再密閉する。この状態にて、水蒸気・熱湯スープ等の漏れの可能性はほぼ無くなり、安心して持ち運びが可能となる。最後に、図４−４の様に上蓋を外し食す。最近では、コンビニエンスストアにて給湯して持ち歩くケースも増えている。ただ、漏れる可能性のあるものを抱えては、客の買い上げ点数も限定されてしまう。店としては客のハンドフリーを実現して、売上げアップにもつなげる。
【産業上の利用可能性】
【００１０】    一度開封したものを、再び高いレベルにて密閉状態にする事が出来る方法としては、その他、色々な食品包装体に応用可能となる。
【図面の簡単な説明】
【００１１】
2005015056.tif 000003
【符号の説明】
【００１２】    Ｂ  プチシール蓋
Ｄ  プチシール蓋
【図１−１】
2005015056.tif 000004
【図２−１】
2005015056.tif 000005
【図３−１】
2005015056.tif 000006
【図４−１】
2005015056.tif 000007
【手続補正書】
【提出日】平成16年7月13日(2004.7.13)
【手続補正１】
【補正対象書類名】明細書
【補正対象項目名】００１１
【補正方法】変更
【補正の内容】
【００１１】
【図１−１】既存商品の実施方法を示した説明図である。蓋が閉じられている状態。（実施例１）
【図１−２】既存商品の実施方法を示した説明図である。蓋を開けた状態。（実施例１）
【図２−１】プチシール蓋の実施方法を示した説明図である。蓋が閉じられている状態。（実施例１）
【図２−２】プチシール蓋の実施方法を示した説明図である。蓋を開けた状態。（実施例１）
【図２−３】プチシール蓋の実施方法を示した説明図である。蓋を再び閉じた状態。（実施例１）
【図３−１】既存商品の実施方法を示した説明図である。蓋が閉じられている状態。（実施例２）
【図３−２】既存商品の実施方法を示した説明図である。蓋を開けてお湯を入れている状態。（実施例２）
【図３−３】既存商品の実施方法を示した説明図である。蓋を再び閉じている状態。（実施例２）
【図４−１】プチシール蓋の実施方法を示した説明図である。蓋が閉じられている状態。（実施例２）
【図４−２】プチシール蓋の実施方法を示した説明図である。蓋を開けてお湯を入れている状態、（実施例２）
【図４−３】プチシール蓋の実施方法を示した説明図である。蓋を再び閉じている状態。（実施例２）
【図４−４】プチシール蓋の実施方法を示した説明図である。蓋を全部取り準備完了。（実施例２）
【手続補正２】
【補正対象書類名】図面
【補正対象項目名】全図
【補正方法】変更
【補正の内容】
【図１−１】
2005015056.tif 000008
【図１−２】
2005015056.tif 000009
【図２−１】
2005015056.tif 000010
【図２−２】
2005015056.tif 000011
【図２−３】
2005015056.tif 000012
【図３−１】
2005015056.tif 000013
【図３−２】
2005015056.tif 000014
【図３−３】
2005015056.tif 000015
【図４−１】
2005015056.tif 000016
【図４−２】
2005015056.tif 000017
【図４−３】
2005015056.tif 000018
【図４−４】
2005015056.tif 000019